(57)【要約】【課題】コンバインによる作業工程に沿って、状況変化の際に対応遅れを招くことなく、それぞれの的確な作業により全体としての作業性を向上することができるコンバインの情報表示装置を提供する。【解決手段】コンバインの情報表示装置は、複数の切換用スイッチにより表示画面の切換えが可能なモニター表示部１１を備え、このモニター表示部１１には、少なくともエンジン負荷と穀粒貯留量と車速により作業状態を表示する通常画面２１を備えたコンバインの情報表示装置において、上記モニター表示部１１には、車高調節状態を表示する車高表示画面２２を別途備え、所定の切換用スイッチ１５の操作によって上記通常画面２１から車高表示画面２２への画面切換えを可能に構成したものである。【選択図】図１
2008237039.tif 000002
【特許請求の範囲】
【請求項１】
複数の切換用スイッチにより表示画面の切換えが可能なモニター表示部（１１）を備え、このモニター表示部（１１）には、少なくともエンジン負荷と穀粒貯留量と車速により作業状態を表示する通常画面（２１）を備えたコンバインの情報表示装置において、
上記モニター表示部（１１）には、車高調節状態を表示する車高表示画面（２２）を別途備え、所定の切換用スイッチ（１５）の操作によって上記通常画面（２１）から車高表示画面（２２）への画面切換えを可能に構成したことを特徴とするコンバインの情報表示装置。
【請求項２】
前記モニター表示部（１１）には、メンテナンス情報を表示するメンテナンスモード画面（２３）を備え、このメンテナンスモード画面（２３）は、上記通常画面（２１）から上記切換用スイッチ（１５）の操作によって画面切換えを可能とし、かつ、別途設けた第２の切換用スイッチ（１６）によってメンテナンスを要する事項を表示するメンテナンス内容画面（３１ａ）に画面切換え可能に構成したことを特徴とする請求項１記載のコンバインの情報表示装置。
【発明の詳細な説明】
【技術分野】
【０００１】
本発明は、スイッチ操作によって表示画面の切換えが可能なモニター表示部を備えるコンバインの情報表示装置に関するものである。
【背景技術】
【０００２】
特許文献１に示されるように、スイッチ操作によって表示画面の切換えが可能なモニター表示部を備えるコンバインの情報表示装置が知られている。この情報表示装置は、エンジン負荷、穀粒貯留量、車速を含む多くの情報を１画面に表示し、また、切換スイッチの操作により、各種の情報を表示することができる。
【特許文献１】特開２００１−２５１９３９号公報
【発明の開示】
【発明が解決しようとする課題】
【０００３】
しかしながら、上記情報表示装置は、そのモニター表示部に多くの情報を表示することから、作業によっては不必要な情報が同時に表示され、その多くの表示項目の中から情報の選択を要することとなり、特に、状況変化の際に対応遅れを招くという問題があった。
【０００４】
解決しようとする問題点は、コンバインによる作業工程に沿って、状況変化の際に対応遅れを招くことなく、それぞれの的確な作業により全体としての作業性を向上することができるコンバインの情報表示装置を提供することにある。
【課題を解決するための手段】
【０００５】
請求項１に係る発明は、複数の切換用スイッチにより表示画面の切換えが可能なモニター表示部１１を備え、このモニター表示部１１には、少なくともエンジン負荷と穀粒貯留量と車速により作業状態を表示する通常画面２１を備えたコンバインの情報表示装置において、上記モニター表示部１１には、車高調節状態を表示する車高表示画面２２を別途備え、所定の切換用スイッチ１５の操作によって上記通常画面２１から車高表示画面２２への画面切換えを可能に構成したことを特徴とする。
【０００６】
モニター表示部１１には、通常画面２１によってエンジン負荷、穀粒貯留量、車速が表示され、所定の切換用スイッチ１５の操作によって車高表示画面２２に切換えすることにより車高調節状態が表示される。
【０００７】
請求項２に係る発明は、請求項１の構成において、前記モニター表示部１１には、メンテナンス情報を表示するメンテナンスモード画面２３を備え、このメンテナンスモード画面２３は、上記通常画面２１から上記切換用スイッチ１５の操作によって画面切換えを可能とし、かつ、別途設けた第２の切換用スイッチ１６によってメンテナンスを要する事項を表示するメンテナンス内容画面３１ａに画面切換え可能に構成したことを特徴とする。上記通常画面から第１の切換用スイッチ１５の操作によってメンテナンスモード画面２３に切換え、さらに第２の切換用スイッチ１６の操作によってメンテナンス内容画面３１ａを切換えることにより必要なメンテナンス事項が表示される。
【発明の効果】
【０００８】
請求項１のコンバインの情報表示装置のモニター表示部１１には、車高調節状態の表示を要することなく、エンジン負荷、穀粒貯留量、車速が表示される通常画面２１により、必要情報によって状況変化対応性を確保しつつ効率的に刈取り作業を進めることが可能となり、また、車高調節が必要な場合には、所定の切換用スイッチ１５の操作によって車高表示画面２２に切換えることにより車高調節状況を確認しつつ圃場の状況に応じた的確かつ迅速な車高調節が可能となることから、車高調節を含む刈取作業全体の作業性を向上することができる。
【０００９】
請求項２のコンバインの情報表示装置は、請求項１の上記効果と合わせ、第２の切換用スイッチ１６の操作によってメンテナンス内容画面３１ａを切換えることができるので、表示されたメンテナンス事項に基づいて、メンテナンスの適切な対応が可能となる。
【発明を実施するための最良の形態】
【００１０】
上記技術思想に基づいて具体的に構成された実施の形態について以下に図面を参照しつつ説明する。
図１は、本発明に係るコンバインの情報表示装置の見取図とその画面例（?１）である。
情報表示装置１には、液晶表示等によるモニター表示部１１およびエンジン回転計１２を中央位置に上下２段に配置してその両側部に押しボタン型の左右のウィンカスイッチ１３Ｌ，１３Ｒを左右対称配置に設け、そのほかに、前照灯前向きスイッチ１４Ｆ、前照灯下向きスイッチ１４Ｄ、切替スイッチ１５、ホーンスイッチ１６等のスイッチを配置し、図示せぬモニター制御部を内設して一体に構成する。
【００１１】
モニター表示部１１は、作業用の通常画面２１として、燃料残量２１ａ、エンジン負荷２１ｂ、グレンタンク貯留量２１ｃ等の刈取作業に必要な情報を表示するほかに、切替スイッチ１５、ホーンスイッチ１６、ウィンカスイッチ１３Ｌ，１３Ｒを画面切換用スイッチとしてその組合せによって各種の情報を系統別に表示する。
【００１２】
上記通常画面２１について、第１のスイッチとしての切替スイッチ１５の操作により、機体の車高調節状態を図形表示（図例は最高位置の表示）する車高表示画面２２、メンテナンス情報表示の入口としてのメンテナンスモード画面２３の各画面を経て通常画面２１まで順次切換え可能に構成する。
【００１３】
上記情報表示装置１は、モニター表示部１１により作業機の稼動状況・稼動情報を適切に表示し、必要に応じて切替スイッチ１５の操作により、通常画面２１、車高表示画面２２、メンテナンスモード画面２３に順次切換えができる。したがって、その通常画面２１により、車高調節状態の表示等を要することなく、エンジン負荷、穀粒貯留量、車速が表示されるので、必要情報によって状況変化対応性を確保しつつ効率的に刈取り作業を進めることが可能となり、また、車高調節が必要な場合には、所定の切換用スイッチの操作によって車高表示画面２２に切換えることにより車高調節状況を確認しつつ圃場の状況に応じた的確かつ迅速な車高調節が可能となることから、車高調節を含む刈取作業全体の作業性を向上することができる。
【００１４】
（メンテナンスモード）
また、上記モニター表示部１１には、コンバインの稼動において所定のメンテナンス時間に到達するとメンテナンス案内の画面２０を表示し、図２の画面例（２）に示すように、切替スイッチ１５で選択表示したメンテナンスモード画面２３から第２の切換用スイッチとしてのホーンスイッチ１６の操作により、メンテナンス情報画面３１から具体的なメンテナンス事項をメンテナンス内容画面３１ａ（図例は、「メンテナンス５０時間案内」）によって表示する。
【００１５】
上記情報表示装置１は、モニター表示部１１により作業機の稼動状況・稼動情報を適切に表示し、切替スイッチ１５の操作により、通常画面２１、車高表示画面２２、メンテナンスモード画面２３に順次切換えができ、また、メンテナンス時間毎にメンテナンスの案内をすることから、画面を切換えてメンテナンス内容をメンテナンス内容画面３１ａによって確認することができる。
【００１６】
また、図３の画面例（３）に示すように、メンテナンスモード画面２３においては、各メンテナンスの内容を確認するために、「メンテナンス情報」の画面３１、「日常点検」の画面３２、「格納点検」の画面３３が切換可能に表示され、「モード終了」の画面３４において切替スイッチ１５の操作により通常画面２１に戻ることができる。
【００１７】
（整備モード）
次に、整備モードについて説明する。
図４の画面例（４）に示すように、通常画面２１において、切替スイッチ１５とホーンスイッチ１６とを同時押しすることにより、「整備モード」の画面４１に移行し、各部のセンサー確認、センサー調整を可能にする。
【００１８】
「整備モード」の画面４１においては、図５の画面例（５）に示すように、第３の切換用スイッチとしてのウィンカスイッチ１３Ｌ，１３Ｒの操作により、「システムチェック」の画面４２、「センサ調整モード」の画面４３、「異常履歴モード」の画面４４が切換可能に表示され、「モード終了」の画面４５において切替スイッチ１５の操作により通常画面２１に戻ることができる。
【００１９】
上記「異常履歴モード」の画面４４においては、機体の異常履歴の確認を可能とし、図６の画面例（６）に示すように、切替スイッチ１５に続いて第３の切換用スイッチとしてのウィンカスイッチ１３Ｌ，１３Ｒを操作することにより「発電回路異常」の画面４４ａを表示する。
【００２０】
上記「センサ調整モード」の画面４３においては各センサーの調整を可能とし、図７の画面例（７）に示すように、切替スイッチ１５に続いてウィンカスイッチ１３Ｌ，１３Ｒを操作することにより、「基準値表示変更」の画面４３ａ、「刈取停止位置」の画面４３ｂ、「調査対象・調整方法」の画面４３ｃの順に切換えられ、各部のセンサ値確認と調整方法の表示により、センサー値の変更・設定をすることができる。
【００２１】
上記「システムチェック」の画面４２においては、各部のセンサー確認と各部の出力確認を可能とし、図８の画面例（８）に示すように、切替スイッチ１５によって入力チェック、出力チェックモードに移行し、ウィンカスイッチ１３Ｌ，１３Ｒを操作することにより、「入力チェック」の画面４２ａ、「出力チェック」の画面４２ｂの順に切換えられる。
【００２２】
（注意表示）
次に、各種の注意表示について説明する。
通常画面２１において排ワラの詰まりが検出された場合は、詰まりセンサに応じて、図９の画面例（９）に示すように、「排ワラ詰まり」＋図形の画面５１ａ、「排ワラ部・脱穀部の詰まり発生」の画面５１ａ、「詰まりを取り除いてください」の画面５１ｃを順に所定時間間隔で表示することにより、その発生場所と発生部位の画像および対処方法を表示して機械の異常を分かり易く情報提供することができる。
【００２３】
通常画面２１においてオーガの詰まりが検出された場合は、詰まりセンサに応じて、図１０の画面例（１０）に示すように、「オーガ詰まり」＋図形の画面５２ａ、「オーガ先端部詰まり発生」の画面５２ａ、「詰まりを取り除いてください」の画面５２ｃを順に所定時間間隔で表示することにより、その発生場所と発生部位の画像および対処方法を表示して機械の異常を分かり易く情報提供することができる。
【００２４】
オーガの自動張出・収納中において車速センサーにより走行状態が検出された場合は、図１１の画面例（１１）に示すように、「オーガ破損注意  オーガを収納してください」の画面５３を表示することにより、オーガ旋回中における機体移動によってオーガを電柱等にぶつけて破損したり、パワステ操作等にてモータ・ギヤ等の破損防止のために、注意を促すことができる。
【００２５】
ズームオーガが伸長状態でオーガ受けに収納された場合は、図１２の画面例（１２）に示すように、「オーガ破損注意  ズームが縮みきっていません」の画面５４を表示することにより、ズームオーガが伸長状態のままオーガ受けに収納された場合に機体幅よりオーガ先端がはみ出すことによるオーガ先端部の破損防止の対応を促すことができる。
【図面の簡単な説明】
【００２６】
【図１】情報表示装置の見取図とその画面例（１）である。
【図２】画面例（２）である。
【図３】画面例（３）である。
【図４】画面例（４）である。
【図５】画面例（５）である。
【図６】画面例（６）である。
【図７】画面例（７）である。
【図８】画面例（８）である。
【図９】画面例（９）である。
【図１０】画面例（１０）である。
【図１１】画面例（１１）である。
【図１２】画面例（１２）である。
【符号の説明】
【００２７】
１      情報表示装置
１１    モニター表示部
１２    エンジン回転計
１３Ｌ，１３Ｒ    ウィンカスイッチ（第３の切換用スイッチ）
１５    切替スイッチ（第１の切換用スイッチ）
１６    ホーンスイッチ（第２の切換用スイッチ）
２０    メンテナンス案内画面
２１    通常画面
２１ａ  燃料残量
２１ｂ  エンジン負荷
２１ｃ  グレンタンク貯留量
２２    車高表示画面
２３    メンテナンスモード画面
３１ａ  メンテナンス内容画面
４１    整備モード画面
【図１】
2008237039.tif 000003
【図２】
2008237039.tif 000004
【図３】
2008237039.tif 000005
【図４】
2008237039.tif 000006
【図５】
2008237039.tif 000007
【図６】
2008237039.tif 000008
【図７】
2008237039.tif 000009
【図８】
2008237039.tif 000010
【図９】
2008237039.tif 000011
【図１０】
2008237039.tif 000012
【図１１】
2008237039.tif 000013
【図１２】
2008237039.tif 000014